(57)【要約】【課題】ソフトウェアを実行する環境によって携帯通信端末が不用意に電力を消費することを抑えて、携帯通信端末自体の使用時間を長くすることのできる携帯通信システムおよびサーバを提供する。【解決手段】代理処理サーバ１３は、携帯通信端末１１からソフトウェアの実行が要求された場合、実行が要求されたソフトウェアおよび既に実行されているソフトウェアを、代理処理サーバ１３上または携帯通信端末１１上で実行した際に携帯通信端末１１にて生じる消費電力量を推定し、消費電力量が最も低いソフトウェアの組合せを選択して、各々のソフトウェアの実行制御を行う。【選択図】図２
2013106095.tif 000002
【特許請求の範囲】
【請求項１】
ネットワークを介して相互に接続された携帯通信端末およびサーバからなる携帯通信システムであって、
前記代理処理サーバは、前記携帯通信端末からソフトウェアの実行が要求された場合、実行が要求されたソフトウェアおよび既に実行されているソフトウェアを、代理処理サーバ上または前記携帯通信端末上で実行した際に前記携帯通信端末にて生じる消費電力量を推定し、消費電力量が最も低いソフトウェアの実行組合せに基づいて、各々のソフトウェアの実行制御を行うことを特徴とする携帯通信システム。
【請求項２】
前記代理処理サーバは、ソフトウェアが代理処理サーバ上での実行を必須とするかを示す実行環境と、ソフトウェアを実行するのに必要とする実行サイクルと、ソフトウェアへのユーザ・インタフェースからの操作入力の平均回数を示す入力サイクルと、ソフトウェアからのユーザ・インタフェースへの出力の平均回数を示す出力サイクルからなるソフトウェアの属性情報を有し、
前記属性情報に基づいて、ソフトウェアの消費電力量を推定することを特徴とする請求項１に記載の携帯通信システム。
【請求項３】
前記代理処理サーバは、前記携帯通信端末上にてソフトウェアを実行させる場合、実行するソフトウェアと実行要求を、前記携帯通信端末に送出し、前記携帯通信端末は、前記実行要求されたソフトウェアを実行することを特徴とする請求項１または２に記載の携帯通信システム。
【請求項４】
ネットワークを介して携帯通信端末に接続されたサーバであって、
前記携帯通信端末からソフトウェアの実行が要求された場合、実行が要求されたソフトウェアおよび既に実行されているソフトウェアを、自サーバ上または前記携帯通信端末上で実行した際に前記携帯通信端末にて生じる消費電力量を推定し、消費電力量が最も低いソフトウェアの実行組合せに基づいて、各々のソフトウェアの実行制御を行うことを特徴とするサーバ。
【発明の詳細な説明】
【技術分野】
【０００１】
本発明は、携帯通信端末からの要求によりソフトウェアをサーバで代理実行する携帯通信システムに関する。
【背景技術】
【０００２】
携帯通信端末のＣＰＵ、メモリ、ハードディスクなどの演算処理環境は、コンピュータ、サーバの演算処理環境に比べると、低いものである。このため、携帯通信端末上で実行されるソフトウェアは、機能、能力を削減され、携帯通信端末の低い演算処理環境下でも、快適な操作性を確保しつつ実行できるものが提供された。
【０００３】
近年、様々な出力レベルの基地局が様々な場所に設置された結果、現在どこにいてもネットワークに接続できる環境が整いつつある。そして、携帯通信における伝送帯域は、ＬＴＥやＷｉＭＡＸによって、さらに広帯域化していく方向にある。これまで携帯通信端末におけるソフトウェアの演算実行は、携帯通信端末上の低い演算処理環境にて行ってきたが、どこにいても安定的にネットワークに接続可能となってくると、ソフトウェアの演算実行は、ネットワーク上の潤沢な演算処理環境の代理処理サーバにて行い、演算結果を携帯通信端末上で出力する形が考えられている（例えば、特許文献１参照）。
【０００４】
携帯通信端末の処理環境を、ネットワーク上の代理処理サーバに構築し、携帯通信端末が、ネットワーク上の代理処理サーバを介してネットワーク上の他のサーバ、端末と通信接続し、携帯通信端末が、ネットワーク上の代理サーバのユーザ・インタフェースとなることよって、携帯通信端末の使用者は、高い演算処理能力を、どこでも利用することが可能となる。
【先行技術文献】
【特許文献】
【０００５】
【特許文献１】特開２００６−２７７５３４号公報
【発明の概要】
【発明が解決しようとする課題】
【０００６】
しかしながら、携帯通信端末は、机上に設置され、電源コンセントに接続されているコンピュータとは異なり、基本的に、使用者に携行され、端末本体に内蔵されたバッテリーで動く端末である。携帯通信端末の使用時間は、バッテリー容量と消費電力量に依存する。携帯通信端末の処理環境を、ネットワーク上の代理処理サーバに構築し、ソフトウェアの実行を代理処理サーバにて行った場合、ソフトウェアによっては、頻繁に携帯通信端末と通信接続することとなって、携帯通信端末上でソフトウェアを実行するときよりも、携帯通信端末の消費電力量が増加してしまうことがある。
【０００７】
本発明は、このような問題点に鑑みてなされたものであり、本発明の目的は、ソフトウェアを実行する環境によって携帯通信端末が不用意に電力を消費することを抑えて、携帯通信端末自体の使用時間を長くすることのできる携帯通信システムおよびサーバを提供することにある。
【課題を解決するための手段】
【０００８】
上記目的を達成するため、本発明は、ネットワークを介して相互に接続された携帯通信端末およびサーバからなる携帯通信システムであって、前記代理処理サーバは、前記携帯通信端末からソフトウェアの実行が要求された場合、実行が要求されたソフトウェアおよび既に実行されているソフトウェアを、代理処理サーバ上または前記携帯通信端末上で実行した際に前記携帯通信端末にて生じる消費電力量を推定し、消費電力量が最も低いソフトウェアの実行組合せに基づいて、各々のソフトウェアの実行制御を行うことを特徴とする。
【０００９】
前記代理処理サーバは、ソフトウェアが代理処理サーバ上での実行を必須とするかを示す実行環境と、ソフトウェアを実行するのに必要とする実行サイクルと、ソフトウェアへのユーザ・インタフェースからの操作入力の平均回数を示す入力サイクルと、ソフトウェアからのユーザ・インタフェースへの出力の平均回数を示す出力サイクルからなるソフトウェアの属性情報を有し、前記属性情報に基づいて、ソフトウェアの消費電力量を推定することが好ましい。
【００１０】
前記代理処理サーバは、前記携帯通信端末上にてソフトウェアを実行させる場合、実行するソフトウェアと実行要求を、前記携帯通信端末に送出し、前記携帯通信端末は、前記実行要求されたソフトウェアを実行することが好ましい。
【００１１】
また、本発明は、ネットワークを介して携帯通信端末に接続されたサーバであって、前記携帯通信端末からソフトウェアの実行が要求された場合、実行が要求されたソフトウェアおよび既に実行されているソフトウェアを、自サーバ上または前記携帯通信端末上で実行した際に前記携帯通信端末にて生じる消費電力量を推定し、消費電力量が最も低いソフトウェアの実行組合せに基づいて、各々のソフトウェアの実行制御を行うことを特徴とする。
【発明の効果】
【００１２】
本発明によれば、使用者にて選択されたソフトウェアをサーバ上にて実行した際に携帯通信端末にて消費する消費電力と、同じソフトウェアを携帯通信端末上にて実行した際に携帯通信端末にて消費する消費電力とを算出して、選択されたソフトウェアの実行環境を選択するため、携帯通信端末にて不用意に電力を消費することを抑え、携帯通信端末自体の使用時間を長くすることができる。
【図面の簡単な説明】
【００１３】
【図１】本発明の実施形態に係る携帯通信システムの構成を示す図である。
【図２】本発明の実施形態に係る携帯通信システムにおける携帯通信端末および代理処理サーバの構成を示す図である。
【図３】代理処理サーバの実行判定部の動作例を説明するフローチャートである。
【図４】ソフトウェアの属性情報が格納されたテーブルの例を示す図である。
【図５】入力サイクル、出力サイクルの合成を説明する図である。
【発明を実施するための形態】
【００１４】
本発明の実施の形態について図面を参照して説明する。図１は、本発明の実施形態に係る携帯通信システムの構成を示す図である。携帯通信端末１１は、基地局１２およびネットワーク１９を介して、代理処理サーバ１３と通信接続する。代理処理サーバ１３は、ネットワーク１９に接続して、Ｗｅｂサーバ１４および携帯通信端末１１との通信接続を可能とする。
【００１５】
使用者１は、携帯通信端末１１を用いて、代理処理サーバ１３にてソフトウェアを実行し、実行結果を携帯通信端末１１にて得る。同様に、使用者１は、携帯通信端末１１を用いて、代理処理サーバ１３にてソフトウェアを実行して、代理処理サーバ１３から、Ｗｅｂサーバ１４へアクセスする。Ｗｅｂサーバ１４にてアクセスしているＷｅｂページは、代理処理サーバ１３を通して、携帯通信端末１１上に表示出力される。外部から入力データは、代理処理サーバ１３のセキュリティ・ソフトウェアにてウィルス・チェックされる。なお、ここで、携帯通信端末１１は、例えば、携帯電話機、スマートフォンなどの情報端末である。
【００１６】
図２は、本発明の実施形態に係る携帯通信システムにおける携帯通信端末および代理処理サーバの構成を示す図である。携帯通信端末１１は、マイク２２と、スピーカ２３と、演算処理部２４と、記憶部２５と、送受信部２６と、操作部２７と、表示部２８と、実行制御部２９とにより構成されている。
【００１７】
使用者１は、携帯通信端末１１の操作部２７からキー入力を行う。実行制御部２９は、操作部２７からのキー入力を、送受信部２６を介して、代理処理サーバ１３へ送信する。また、代理処理サーバ１３からの出力情報は、送受信部２６から実行制御部２９に渡される。実行制御部２９は、代理処理サーバ１３からの受信情報が、ユーザ・インタフェースへの出力情報と判断すると、対応するユーザ・インタフェース（例えば、表示部２８、スピーカ２３）に出力する。
【００１８】
代理処理サーバ１３は、携帯通信端末の仮想環境４０と、通信Ｉ／Ｆ（インタフェース）４１と、ソフトウェアの属性情報に基づいてソフトウェアの消費電力量を推定する実行判定部４２と、ソフトウェア毎の属性情報を保持する実行情報管理部４６とにより構成されている。代理処理サーバ１３は、仮想環境４０を、携帯通信端末毎に備えており、仮想環境４０は、ソフトウェアを実行処理する演算処理部４３と、ソフトウェアを記憶保持する記憶部４４と、携帯通信端末１１における入出力Ｉ／Ｆに代わって対応する疑似Ｉ／Ｆ（インタフェース）４７と、通話機能部４８とにより構成されている。
【００１９】
実行判定部４２は、携帯通信端末１１の実行制御部２９からの送信情報を受信する。受信した送信情報が、操作部２７、マイク２２などのユーザ・インタフェースからの入力情報と判断されると、仮想環境４０上の疑似Ｉ／Ｆ４７に渡され、疑似Ｉ／Ｆ４７からユーザ・インタフェース信号として演算処理部４３に渡され、演算処理部４３にて、仮想環境４０上での操作として処理される。仮想環境４０の演算処理部４３から、スピーカ２３、表示部２８などへの出力信号は、擬似Ｉ／Ｆ４７を介して実行判定部４２に渡される。実行判定部４２は、出力信号を、ネットワーク１９を介して、携帯通信端末１１に通知する。
【００２０】
携帯通信端末１１からの操作信号によって、仮想環境４０の記憶部４４に保持されているソフトウェアの実行が選択（要求）されると、実行判定部４２は、既に実行されているソフトウェアと、新規に実行が選択されたソフトウェアの属性情報を実行情報管理部４６から取得する。実行判定部４２は、取得した属性情報に基づいて、各々のソフトウェアを仮想環境４０上、または携帯通信端末１１上にて実行した際に、携帯通信端末１１に生じる消費電力量を推定する。実行判定部４２は、全ての組合せから、最も消費電力量の低いソフトウェア実行の組合せに基づいて、各々のソフトウェアを実行させる。この時、実行判定部４２は、仮想環境４０で実行することとなったソフトウェアが必要とする演算処理能力に応じて、仮想環境４０の演算処理資源（ＣＰＵ、メモリなど）の増減を行う。
【００２１】
図３は、代理処理サーバの実行判定部の動作例を説明するフローチャートである。使用者１が起動するソフトウェアを選択すると、実行判定部４２は、代理処理サーバ１３の仮想環境４０上で既に実行されているソフトウェアと、携帯通信端末１１上で既に実行されているソフトウェアの属性情報を実行情報管理部４６から取得する（Ｓ１０１）。次に、実行判定部４２は、新規に実行するソフトウェアおよび既に実行されているソフトウェアの各々を代理処理サーバ１３（仮想環境４０）上、または携帯通信端末１１上にてそれぞれ実行した際に、携帯通信端末１１に生じる消費電力量を算出する（Ｓ１０２）。ただし、実行環境が代理処理サーバ１３に限定されているものは、代理処理サーバ上にてのみ算出する。実行判定部４２は、消費電力量が最も小さくなるソフトウェアの組合せを選択する。
【００２２】
次に、Ｓ１０３〜Ｓ１０５において、この時既に実行されているソフトウェアであって、実行環境が代理処理サーバ１３から携帯通信端末１１へ、もしくは携帯通信端末１１から代理処理サーバ１３へ変更する必要のあるソフトウェアがある場合（１０４でＹｅｓの場合）、ソフトウェアのメモリ状況を実行先に転送し（Ｓ１２１）、変更先にて前の処理状況を継続してソフトウェアを実行するようにする（Ｓ１２２）。
【００２３】
次に、実行判定部４２は、新規に実行するソフトウェアが記憶部４４に保持されているか否かを判定し（Ｓ１０６）、記憶部４４に保持されていない場合（Ｓ１０６でＮｏの場合）は処理を終了する。新規に実行するソフトウェアが記憶部４４に保持されている場合（Ｓ１０６でＹｅｓの場合）は、新規に実行するソフトウェアの実行環境が携帯通信端末１１上であるか否かを判定し（Ｓ１３１）、実行環境が携帯通信端末１１上である場合（Ｓ１３１でＹｅｓの場合）は、新規に実行するソフトウェアを携帯通信端末１１に転送し（Ｓ１４１）、携帯通信端末１１上で実行する（Ｓ１４２）。他方、実行環境が携帯通信端末１１上でない場合（Ｓ１３１でＮｏの場合）は、代理処理サーバ１３上で実行する（Ｓ１３２）。
【００２４】
なお、既に実行されているソフトウェアを停止する場合は、そのソフトウェアを停止した上で、同様に実行中のソフトウェアに関して、消費電力量の計算を行い、各々のソフトウェアの実行環境の設定を行う。
【００２５】
図４は、実行情報管理部が保持する、ソフトウェアの属性情報が格納されたテーブルの例を示す図である。図４において、実行環境Ｅ０〜Ｅｎは、ソフトウェア１〜ｎが、代理処理サーバ１３上での実行を必須とするか否かを示す。処理サイクルＰ０〜Ｐｎは、ソフトウェア１〜ｎを実行したときに、快適に実行するのに必要とされる単位時間あたりの処理サイクル数を示す。入力サイクルＣ０〜Ｃｎは、入力系のユーザ・インタフェースからソフトウェア１〜ｎの演算処理に入力される操作信号の回数であり、単位時間当りの平均回数を示す。出力サイクルＲ０〜Ｒｎは、ソフトウェア１〜ｎの実行結果により、出力系のユーザ・インタフェースへ出力される出力信号の回数であり、単位時間当りの平均回数を示す。
【００２６】
次に、ソフトウェアを代理処理サーバ１３上および携帯通信端末１１上で実行したときの携帯通信端末１１における消費電力量の算出方法について説明する。ソフトウェアａを携帯通信端末１１上で実行したときの携帯通信端末１１における消費電力量Ｗａ（端末）は、Ｗｕを携帯通信端末１１上での処理サイクルＰａの１サイクル分の消費電力量とすると、
Ｗａ（端末）＝ＷｕＰａ
となる。
【００２７】
ソフトウェアａを代理処理サーバ１３上で実行したときの携帯通信端末１１における消費電力量Ｗａ（サーバ）は、Ｗｃを携帯通信端末１１上での入力サイクルＣａの１サイクル分の消費電力量とし、Ｗｒを携帯通信端末１１上での出力サイクルＲａの１サイクル分の消費電力量とすると、
Ｗａ（サーバ）＝ＷｃＣａ＋ＷｒＲａ
となる。ＷｃＣａは操作信号を無線にて送信する際に生じている消費電力量を意味し、ＷｒＲａは出力信号を無線にて受信する際に生じている消費電力量を意味する。
【００２８】
図５は、入力サイクル、出力サイクルの合成を説明する図である。ソフトウェアａの出力サイクルＲａと、ソフトウェアｂの出力サイクルＲｂの合成として出力サイクルＲｃを取得する例を示す。
【００２９】
図５（ａ）において、ソフトウェアａの出力サイクルＲａはｒａ０〜ｒａ５である。これに対して、ソフトウェアｂの出力サイクルＲｂはｒｂ０〜ｒｂ２である。このうち、ｒａ０とｒｂ０、ｒａ２とｒｂ１、ｒａ４とｒｂ２が同一タイミングとなるので、これを各々１回として計測すると、合成した出力サイクルＲｃはｒｃ０〜ｒｃ５となる。ソフトウェアｂの出力サイクルＲｂは、ソフトウェアａの出力サイクルＲａに包含されている。このため、合成した出力サイクルＲｃは、出力サイクルＲａと同じである。単純に合計した場合、９回に対して、同一タイミングを考慮すると６回となる。
【００３０】
図５（ｂ）において、ソフトウェアａの出力サイクルＲａはｒａ０〜ｒａ５である。これに対して、ソフトウェアｂの出力サイクルＲｂはｒｂ０〜ｒｂ３である。このうち、ｒａ０とｒｂ０、ｒａ３とｒｂ２が同一タイミングとなる。その結果、合成した出力サイクルＲｃは、ｒｃ０〜ｒｃ７となる。単純に合計した場合、１０回となるのに対して、同一タイミングを考慮すると８回となる。
【００３１】
ソフトウェアａの入力サイクルＣａと、ソフトウェアｂの入力サイクルＣｂの合成として入力サイクルＣｃを取得する場合も同様である。
【００３２】
これは、個々の入力信号（キー操作の信号）、出力信号は、無線送受信におけるパケットサイズに対して、小さいものである。このため、同一タイミングの場合、同一パケットにて伝送することが可能であると想定している。
【００３３】
例えば、ソフトウェアａとソフトウェアｂがある場合、ソフトウェアａの属性情報を、実行環境Ｅａ、処理サイクルＰａ、入力サイクルＣａ、出力サイクルＲａとし、ソフトウェアｂの属性情報を、実行環境Ｅｂ、処理サイクルＰｂ、入力サイクルＣｂ、出力サイクルＲｂとし、ソフトウェアａ、ソフトウェアｂとも、代理処理サーバ、携帯通信端末いずれでも実行可能とする。また、ソフトウェアａ、ソフトウェアｂがともに、代理処理サーバで実行されたときの、入力サイクルＣａと入力サイクルＣｂの合成された入力サイクルをＣｃとし、出力サイクルＲａと出力サイクルＲｂの合成された出力サイクルをＲｃとする。
【００３４】
この時の携帯通信端末の消費電力量は、
（１）Ｗａ（端末）＋Ｗｂ（端末）＝ＷｕＰａ＋ＷｕＰｂ
（２）Ｗａ（端末）＋Ｗｂ（サーバ）＝ＷｕＰａ＋ＷｃＣｂ＋ＷｒＲｂ
（３）Ｗａ（サーバ）＋Ｗｂ（端末）＝ＷｃＣａ＋ＷｒＲａ＋ＷｕＰｂ
（４）Ｗａ（サーバ）＋Ｗｂ（サーバ）＝ＷｃＣｃ＋ＷｒＲｃ
となる。
【００３５】
実行判定部４２は、（１）〜（４）から、最も値の小さい組合せを選択する。例えば、（２）が最も低い場合、ソフトウェアａを携帯通信端末上で実行し、ソフトウェアｂを代理処理サーバ上で実行することを意味する。
【００３６】
ソフトウェアａの実行環境のみが、代理処理サーバでの実行を必須とする場合、実行判定部４２は、（３）（４）から、最も値の小さい組合せを選択する。例えば、（３）が最も低い場合、ソフトウェアａを代理処理サーバ上で実行し、ソフトウェアｂを携帯通信端末上で実行することを意味する。
【００３７】
ただし、携帯通信端末における提供可能な処理サイクルをＰｕとした場合、ソフトウェアを携帯通信端末上で実行した要求処理サイクルの合計値Ｐｃ（ソフトウェアａ、ソフトウェアｂがともに携帯通信端末上で実行した場合の要求処理サイクルは、Ｐａ＋Ｐｂとなる）は、Ｐｕを超えないこととする。超える場合、選択対象から外すものとする。
【００３８】
携帯通信端末１１の実行制御部２９は、携帯通信端末１１の画面上において、アクティブとなっているウィンドウ上で実行されているソフトウェアの更新サイクルに従って、送受信制御部２６へのクロック供給をＯＮとし、データの送受を終えるとクロックの供給をＯＦＦとする。これにより、電力の消費を低減する。（４）において、ソフトウェアａおよびソフトウェアｂがともに代理処理サーバ１３上で実行されている場合において、携帯通信端末の消費電力量を、出力サイクルＲａと出力サイクルＲｂの合成された出力サイクルＲｃを用いて算出したが、実行時において、ソフトウェアａのみがアクティブ画面の上で実行されている場合、出力サイクルＲａに従って送受信のＯＮ／ＯＦＦを制御する。なお、双方ともアクティブと判断した場合は、合成された出力サイクルＲｃに従って送受信のＯＮ／ＯＦＦ制御を行う。
【００３９】
代理処理サーバ１３の実行判定部４２は、画面上、いずれのソフトウェアがアクティブになっているかを判定し、携帯通信端末１１の実行制御部２９に通知する。実行判定部４２は、アクティブなソフトウェアの出力サイクルに基づいて、表示出力などにおける更新データの送信制御を行う。
【００４０】
代理処理サーバ１３上で実行されているソフトウェアで、非アクティブと判断されたソフトウェアの出力情報は、アクティブなソフトウェアの出力サイクルにて送出されるものとする。非アクティブなソフトウェアの出力サイクルにおいて、アクティブとなっているソフトウェアによる出力サイクルのＯＮ−ＯＦＦ−ＯＮ期間に予定されるＯＮ回数が、一定閾値より多い場合、ＯＮ回数が閾値以下となるように、実行する出力サイクルに補間のＯＮタイミングを追加する。これにより、非アクティブとなっているソフトウェアにおける出力情報の更新がなされなくなることを低減する。
【００４１】
使用者１の操作によって、アクティブとなるソフトウェアが変わった場合、実行判定部４２は実行制御部２９に通知し、実行制御部２９は、ＯＮ／ＯＦＦサイクルをアクティブなソフトウェアに合わせて更新する。
【符号の説明】
【００４２】
１  使用者
１１  携帯通信端末
１２  基地局
１３  代理処理サーバ
１４  Ｗｅｂサーバ
１９  ネットワーク
２２  マイク
２３  スピーカ
２４  演算処理部
２５  記憶部
２６  送受信部
２７  操作部
２８  表示部
２９  実行制御部
４０  仮想環境
４１  通信Ｉ／Ｆ
４２  実行判定部
４３  演算処理部
４４  記憶部
４６  実行情報管理部
４７  疑似Ｉ／Ｆ
４８  通話機能部
【図１】
2013106095.tif 000003
【図２】
2013106095.tif 000004
【図３】
2013106095.tif 000005
【図４】
2013106095.tif 000006
【図５】
2013106095.tif 000007